(57)【要約】【課題】  上衣の肩部分が従来の肩パッドを入れたものよりも薄く、肩線部分および肩部分に張りおよび保形性を持たせて、肩線を強調した上衣を提供する。【解決手段】  上衣の裏側において、衿ぐり４から袖ぐり５まで肩線に沿って延在する肩線補強芯３が身頃１、２の肩縫い代１ａ、２ａに取付けられており、表地と接着芯とを接着した肩補強布６が前記肩縫い代を覆って衿ぐりと袖ぐりとに取付けられている。【選択図】  図９
2015089985.tif 000002
【特許請求の範囲】
【請求項１】
上衣の裏側において、衿ぐりから袖ぐりまで肩線に沿って延在する肩線補強芯が身頃の肩縫い代に取付けられており、表地と接着芯とを接着した肩補強布が前記肩縫い代を覆って衿ぐりと袖ぐりとに取付けられていることを特徴とする上衣。
【請求項２】
前記肩線補強芯が前身頃の肩縫い代に取付けられており、該前身頃の肩縫い代が後身頃側に倒されて、その端縁が後身頃に縫着されていることを特徴とする請求項１記載の上衣。
【請求項３】
前記肩線補強芯が肩縫い代により覆い隠されていることを特徴とする請求項２記載の上衣
【請求項４】
前記肩補強布の表地が身頃の表地と共布であることを特徴とする請求項１〜３の何れか１項に記載の上衣
【請求項５】
肩補強布が１枚の表地と１枚以上の接着芯からなることを特徴とする請求項１〜４の何れか１項に記載の上衣。
【請求項６】
１枚の表地と１枚以上の接着芯からなる肩補強布が２つ重ねられており、該２つの肩補強布は衿ぐり側の縁を除く周縁が縫合されて１つの重ね合わせ肩補強布を構成しており、該重ね合わせ肩補強布の外側両面が表地であることを特徴とする請求項１〜５の何れか１項に記載の上衣。
【発明の詳細な説明】
【技術分野】
【０００１】
本発明はブラウス、シャツ、ジャケット等の上衣に関し、特に、肩部分に特徴を有する上衣に関するものである。
【背景技術】
【０００２】
肩パッドは肩線（すなわち、肩の部分で合わさっている前身頃と後身頃を縫い合わせている線）や肩部の補正や強調のために衣服の肩部に入れられるものであり、婦人服用ではクッション材としてスポンジや綿を使い、不織布や裏地で覆った半円形や長方形等の既製品が市販されており、紳士服用では毛芯と綿を重ね合せたものが一般的に使用されている。
【０００３】
肩パッドは袖ぐりから肩線（すなわち、肩の部分で合わさっている前身頃と後身頃を縫合わせている線）の長さの半分から２／３程度までの幅を有するものが多用されている〔特開２００１−１８１９１７号公報（特許文献１）の図３、特許第３５９４７２７号公報（特許文献２）の図６、図７参照〕。
【０００４】
しかし、ブラウスやシャツのように生地が薄いものでは肩パッドの形状が外観から分かり、肩パッドのある箇所とない箇所の境目で肩線に段々がついてしまい、見た目がよくないと言う問題が生じる。
【０００５】
また、上衣の表地が背広や裏付きジャケットのように厚手のものの場合は肩パッドの存在は外観からはあまり目立たないが、肩線をストレートに綺麗に見せようとすると、厚みのある肩パッドを使用するので、重たくなり、またタスキ皺が生じ易いと言う問題がある。
【０００６】
特開２００１−１８１９１７号公報（特許文献１）には、複数枚のクッション材を積層して所定の厚みとしたパッド本体とパッド本体内に介装された補強用の芯材とからなり、パッド本体は襟付部から袖付部までの肩部のほぼ全域にわたる大きさであり、芯材の内側端部を襟付部近傍まで延ばして襟の取付と一緒に縫い込まれるようにすると共に、袖付部から所定寸法（３ｃｍ程度）の範囲には芯材が存在しないように構成した肩パッドが提案されている。
【０００７】
また、肩パッドの取付けに熟練を要することから、簡単に取付けられるようにすることも従来提案されている。
【０００８】
例えば、特許第３５９４７２７号公報（特許文献２）には、肩パッド本体のアームホール対応部および肩縫い目対応部に、身頃および袖の縫い代に沿って衣服に取付けるためのアームホール対応部補助材および肩縫い目対応部補助材を設けることが提案されている。
【０００９】
また、特開平１０−３７０１５号公報（特許文献３）には、衣服の肩裏に肩パッドを入れる袋を取付け、肩パッドをベルべットファスナー（いわゆる、面ファスナー）により着脱自在に袋内に取付けることが提案されている。
【先行技術文献】
【特許文献】
【００１０】
【特許文献１】特開２００１−１８１９１７号公報
【特許文献２】特許第３５９４７２７号公報
【特許文献３】特開平１０−３７０１５号公報
【発明の概要】
【発明が解決しようとする課題】
【００１１】
特許文献１に開示されているような厚みとしたパッド本体とパッド本体内に介装された補強用の芯材とからなる肩パッドは、背広や裏付きジャケットのような衣服には適用可能であるが、裏なしのジャケット、ブラウス、シャツ等には肩パッドが目立ってしまうので適用することができない。しかも、厚みのある大きな肩パッドであるので、肩パッドが重く、着用感が悪いという問題が生じる。
【００１２】
特許文献２に開示されている肩パッドは、短冊状の補助材を予め肩パッド本体に取付けたもので、補助材の箇所で衣服に止め付けるのであるが、従来の肩パッドと同様に、肩パッドの形状が外観から分かり、肩パッドのある箇所とない箇所の境目で肩線に段々がついてしまい、見た目がよくないと言う問題が生じる。
【００１３】
特許文献３に開示されている肩パッドの取付構造は、肩裏に肩パッド収納用袋を取付けるため、肩裏のない衣服には適用できない。しかも、袋と肩パッドの両方にベルべットファスナーを取付けておかなければならず、製造に手間がかかる。また、袋の中に肩パッドを入れても、肩パッドのある箇所とない箇所の境目で肩線に段々がついてしまい、見た目がよくないと言う問題が生じる。
【００１４】
本発明は、上衣の肩部分が従来の肩パッドを入れたものよりも薄く、肩線部分および肩部分に張りおよび保形性を持たせて、肩線を強調した上衣を提供することを目的とする。
【課題を解決するための手段】
【００１５】
本発明においては、上衣の裏側において、衿ぐりから袖ぐりまで肩線に沿って延在する肩線補強芯が身頃の肩縫い代に取付けられており、表地と接着芯とを接着した肩補強布が前記肩縫い代を覆って衿ぐりと袖ぐりとに取付けられていることを特徴とする上衣により前記目的を達成する。
【００１６】
前記肩線補強芯が前身頃の肩縫い代に取付けられており、該前身頃の肩縫い代が後身頃側に倒されて、その端縁が後身頃に縫着されていることが好ましい。また、上衣が裏なしの場合は、肩線補強芯が肩縫い代により覆い隠されていることが好ましい。
【００１７】
前記肩補強布の表地が身頃の表地と共布であることが好ましい。また、肩補強布が１枚の表地と１枚以上の接着芯からなることが好ましい。或いは、１枚の表地と１枚以上の接着芯からなる肩補強布が２つ重ねられており、該２つの肩補強布は衿ぐり側の縁を除く周縁が縫合されて１つの重ね合わせ肩補強布を構成しており、この重ね合わせ肩補強布の外側両面が表生地であることが好ましい。
【発明の効果】
【００１８】
本発明によれば、上衣の裏側において、衿ぐりから袖ぐりまで肩線に沿って肩線補強芯が身頃の肩縫い代に取付けられており、表地と接着芯とを接着した肩補強布が肩線補強芯を取付けた肩縫い代を覆って衿ぐりと袖ぐりとに取付けられているいるので、肩線補強芯と肩補強布の相乗効果により肩線がストレートになり、綺麗な肩線が保たれ、肩部分も張りおよび保形性がある。これにより、上衣を肩線を強調したデザインとすることができる。また、肩部分も張りおよび保形性があるので、上衣の着用時に、不要な皺などが生じていない、綺麗な肩部分として見せることができる。
【００１９】
本発明によれば、肩線補強芯が衿ぐりから袖ぐりまで延在しているので、衿ぐりから袖ぐりまでの肩線において途中で段差がつくことがない。また、肩線補強芯が身頃の肩縫い代に取付けられるので、上衣の表側からは肩線補強芯が透けて見えることがない。
【００２０】
肩線補強芯を前身頃の肩縫い代に取付けて、この前身頃の肩縫い代を後身頃側に倒して、その端縁が後身頃に縫着されているので、前身頃本体に影響を及ぼすことがないので、前身頃の形状を自由にデザインすることができる。
【００２１】
肩線補強芯を身頃の肩縫い代に取付ける上衣がブラウスやシャツ等のように裏なしの一重仕立てのものである場合、肩線補強芯を肩縫い代で覆い隠すと、肩線補強芯が上衣の裏側からも見えないので、上衣に高級感を持たせることができる。
【００２２】
本発明によれば、従来の肩パッドに代えて、表地と接着芯とを接着した肩補強布を使用するので、上衣の肩部分が従来の肩パッドを入れたものよりも薄くすることができる。また、従来の肩パッドでは接着芯を使用しないが、本発明によれば、従来の肩パッドのクッション材を使用せずに、接着芯を使用して、これを表地に接着することにより肩補強布の張りを出すことおよび保形性を持たせることができる。
【００２３】
また、肩補強布の表地を身頃の表地と共布とすると、身頃の裁断パターンの一部に取り入れることができるので、身頃のサイズを変更する場合も、それに対応しての肩補強布のサイズ変更も容易であり、裁断時に身頃と共に肩補強布も一緒に裁断でき、製作が効率的にできる。
【００２４】
本発明によれば、肩補強布は１枚の表地と１枚の接着芯としてもよいが、１枚の表地に対して２枚以上の接着芯を接着すると、より張りを持たせることができる。また、身頃の生地が薄くて透けるような場合は重ね合わせ肩補強布を使用すると、上衣の表側から見ても接着芯が透けて見えたりせず、上衣の裏側から見ても、接着芯が見えないので、上衣に高級感を持たせることができる。
【図面の簡単な説明】
【００２５】
【図１】図１は肩線補強芯の取付け方を示すものであり、図１（ａ）は本発明における肩線補強芯の一実施例を示す平面図、図１（ｂ）は図１（ａ）に示した肩線補強芯を縫着した上衣の右側の肩部の裏側を示す平面図、図１（ｃ）は図１（ｂ）に示した上衣の肩部を表側から見た平面図、図１（ｄ）は図１（ｃ）に示したＡ−Ａ方向に見た肩部の模式的断面図である。
【図２】図２は肩線補強芯の取付け方の別の工程を示すものであり、図２（ａ）は本発明における肩線補強芯の別の実施例を平面図、図２（ｂ）は図２（ａ）に示した肩線補強芯を肩縫い代に縫着した上衣の右前身頃の肩部を表側から見た平面図、図２（ｃ）は図２（ｂ）に示した上衣の右後身頃を前記縫着した箇所を中心として前身頃の上にひっくり返して前身頃と後身頃とを中表に重ねて、肩線に沿って縫った状態の肩部を右後身頃の裏側から見た平面図、図２（ｄ）は肩線補強芯を取付けた肩部を上衣の表側から見た平面図、図２（ｅ）は図２（ｄ）に示したＢ−Ｂ方向に見た肩線部分の模式的断面図である。
【図３】図３は肩線補強芯の取付け方の更に別の実施例を示すものであり、図３（ａ）は肩線補強芯を取付ける前の右後身頃の裏側から見た平面図、図３（ｂ）は肩線補強芯と右前身頃の裏側から見た平面図、図３（ｃ）は肩線補強芯と右前身頃とを縫着した状態の右前身頃の裏側からみた平面図、図３（ｄ）は図３に示した肩線補強芯を前記縫着した箇所で後身頃の側に返した状態を示す後身頃の裏側から見た平面図、図３（ｅ）は肩線補強芯を取付けた肩部を上衣の表側から見た平面図、図３（ｆ）は図３（ｅ）に示したＣ−Ｃ方向に見た肩線部分の模式的断面図である。
【図４】図４は肩補強布の一実施例を示す平面図であり、図４（ａ）は表地および接着芯を示す平面図、図４（ｂ）は接着芯側から見たこの実施例の肩補強布の平面図である。
【図５】図５は肩補強布の別の実施例を示す平面図であり、図５（ａ）は肩補強布の表地を表面側から見た平面図、図５（ｂ）は表地の裏面側から見た平面図、図５（ｃ）は表地と同じ大きさ形状の接着芯、図５（ｄ）はこの実施例の肩補強布を表地側から見た平面図である。
【図６】図６は更に別の実施例を示す平面図であり、図６（ａ）は１つの肩補強布用の表地を裏面側から見た平面図、図６（ｂ）は前記表地に接着される接着芯の平面図、図６（ｃ）は前記肩補強布を接着芯側から見た平面図、図６（ｄ）は別の肩補強布用の表地を裏面側から見た平面図、図６（ｅ）は上り接着芯（すなわち、縫い代部分がなく、仕上がり寸法の大きさおよび形状の芯）の平面図、図６（ｆ）は前記別の肩補強布を上り芯側から見た平面図である。
【図７】本発明の上衣の一実施例の肩部を裏側から見た平面図である。
【図８】本発明の上衣の別の実施例であり、衿がヘチマカラーであり、図８（ａ）は右身頃の肩部を裏側から見た平面図、図８（ｂ）は右身頃の肩部を裏側から見た正面図である。
【図９】本発明の上衣の更に別の実施例であり、衿がシャツカラーであり、図９（ａ）は右身頃の肩部を裏側から見た平面図、図９（ｂ）は右身頃の肩部を裏側から見た正面図である。
【発明を実施するための形態】
【００２６】
以下、図面に示した実施例に基いて本発明を詳細に説明する。本発明の上衣は、上衣の肩部に肩線補強芯と肩補強布とを取付けたものである。
【００２７】
肩線補強芯３は上衣の裏側において肩縫い代に取付けられ、衿ぐりから袖ぐりまで肩線に沿って延在するものである。肩線補強芯３は細幅の芯であり、芯材としては特に限定されないが、張りを持たせるために接着芯とすることが好ましい。肩線補強芯３の幅は肩縫い代の幅と同程度（肩縫い代の幅よりもやや狭いからやや広いまで）とする。
【００２８】
図１示した実施例の肩線補強芯３は肩縫い代よりもやや幅が広い接着芯であり、図１（ａ）には肩線の位置を仮想線（二点鎖線）で示している。図１（ｂ）は肩線補強芯３を取付けた状態の上衣の右側の肩部の裏側を示している。図１（ｂ）において、符号１は前身頃、符号２は後身頃、符号４は衿ぐり（一点鎖線で上り線を示し、実線で裁断した生地の輪郭を示し、一点鎖線と実線の間が縫い代である）、符号５は袖ぐり（一点鎖線で上り線を示し、実線で裁断した生地の輪郭を示し、一点鎖線と実線の間が縫い代である）を示す。なお、図１（ｂ）に示した衿ぐりの形状はテーラードカラーであるが、これに限定されない。
【００２９】
図１（ａ）に示した肩線補強芯３はその幅が肩縫い代よりもやや広いが、その長さは衿ぐり４から袖ぐり５までの長さであるが、衿ぐり側は縫い代分控えた長さ（すなわち、縫い代を入れない、上り線までの長さ）としている。この肩線補強芯３を上衣に取付けるには、まず前身頃１の裏側の肩縫い代１ａ〔図１（ｄ）参照〕に肩線補強芯３を接着する。
【００３０】
次に、前身頃１と後身頃２を中表で重ね合せて肩線をミシン縫いする〔図１（ｂ）および図１（ｄ）に縫目１１で示した〕。その後、好ましくは後身頃２の肩縫い代２ａの幅を狭くするようにカットする〔図１（ｄ）参照〕。そして、肩線を縫う際には重ねられてた前身頃１と後身頃２とを、肩線縫目１１の箇所を中心として開いて、平らに広げ、肩線補強芯３を接着した前身頃１の肩縫い代１ａと後身頃２の肩縫い代２ａとを後身頃２側に倒して、アイロンを掛けて整える。図１（ｂ）に示すように、前身頃１の肩縫い代１ａの端縁にミシンにて押えステッチ（縫目）１２を掛けて、前身頃１の肩縫い代１ａを後身頃２に縫着する。
【００３１】
このようにして製作された上衣の肩部の表側は図１（ｃ）に示す状態であり、前身頃１と後身頃２の縫い合せ箇所が肩線１０となり、肩部の裏側は図１（ｂ）に示す状態であって、肩線補強芯３が上衣の裏側から直接見える状態である。このため、このような肩線補強芯の取付け方は裏付き（半裏または全裏）などの上衣に適しており、上衣の裏地や見返しなどで肩線補強芯３が隠れるようにすることが好ましい。
【００３２】
また、この実施例では肩線補強芯３の幅を前身頃１の肩縫い代の幅よりも広くして肩線１０をより強調するようにしているが、肩線補強芯３が前身頃１本体にかかっているので、肩線補強芯３が上衣の表側に映らないように、上衣の生地が透けない生地であるものに適している。上衣の生地が薄手で透ける生地の場合は、肩線補強芯３の幅を前身頃１の肩縫い代の幅と同じかそれよりも狭くすることが好ましい。
【００３３】
図２は肩線補強芯の取付け方の別の工程を示すものであり、この実施例では図２（ａ）に示した肩線補強芯３は前身頃１の肩縫い代の形状と同じ形状である。肩線補強芯３を前身頃１の表側の肩縫い代に接着する。次に、図２（ｂ）に示すように、前身頃１と後身頃２とを外表に重ね合せ、肩縫い代１ａ、２ａの幅の中心よりも端縁寄りの箇所に衿ぐり４から袖ぐり５までミシンを掛ける〔図２（ｂ）および図２（ｅ）に縫目１３で示した〕。
【００３４】
図２（ｃ）に示すように、縫着した箇所（縫目１３）を中心として後身頃２を前身頃１の上にひっくり返して、前身頃１と後身頃２とを中表に重ね合せる。好ましくは、縫目１３の箇所が毛抜き合せになるようにアイロンで整える。そして、肩線をミシン縫いする〔図２（ｃ）および図２（ｅ）に縫目１１で示した〕。これで前身頃１と後身頃２の肩縫い代１ａ、２ａは袋縫いとなり、肩線補強芯３は袋縫いの中に入った状態となり、外から見えなくなる（図２（ｅ）参照）。
【００３５】
次に、肩線を縫う際には重ねられていた前身頃１と後身頃２とを、肩線縫目１１の箇所を中心として開いて、平らに広げ、そして、袋縫いになった肩縫い代１ａ、２ａを後身頃２側に倒し、アイロンを掛けて整え、袋縫いになった肩縫い代１ａ、２ａの端縁にミシンにて押えステッチ（縫目）１２を掛けて、前身頃１の肩縫い代１ａを後身頃２に縫着する。
【００３６】
図３は肩線補強芯の取付け方の更に別の工程を示すものである。この実施例では、まず図３（ａ）に示すように、前身頃１と後身頃２とを中表に重ね合せて、肩線をミシン縫いする〔図３（ａ）、（ｂ）および図３（ｆ）に縫目１１で示した〕。後身頃１の肩縫い代２ａの幅を狭くするようにカットする。切離された部分を符号２ａ′で示した〔図３（ａ）参照〕。図３（ｂ）に示した肩線補強芯３は前身頃１の肩縫い代１ａの形状と同じ形状であり、接着面を外側にして、前身頃１の裏側の肩縫い代１ａの上に置き、図３（ｃ）に示すように、ミシンを掛けて縫着する〔図３（ｃ）および（ｆ）に縫目１３で示した〕。
【００３７】
縫着した箇所（縫目１３）を中心として接着芯３を後身頃２の肩縫い代２ａの上に返す。この状態が図３（ｄ）に示されており、図３（ｄ）における肩線補強芯３は接着面ではない方の面が見えている。接着芯３にアイロンを掛けて整える（２つ折りになった肩線補強芯３の接着面が互いに接着する。また、図３（ｆ）に図示したように肩線補強芯３の折返した部分の幅が広い場合は、後身頃２の肩縫い代２ａにも接着する。）。
【００３８】
次に、肩線を縫う際には重ねられていた前身頃１と後身頃２とを、肩線縫目１１の箇所を中心として開いて、平らに広げ、そして、２つ折りになった肩線補強芯３と肩縫い代１ａ、２ａとを後身頃２側に倒し〔図３（ｄ）では矢印Ｓで倒す方向を示した〕、アイロンを掛けて整え、前身頃１の肩縫い代１ａの端縁にミシンにて押えステッチ（縫目）１２を掛けて、前身頃１の肩縫い代１ａを後身頃２に縫着する。このようにして製作された上衣の肩部の表側は図３（ｅ）に示す状態であり、前身頃１と後身頃２の縫い合せ箇所が肩線１０となり、後身頃２に押えステッチ１２が見える。
【００３９】
肩補強布６は肩部における肩線補強芯３を補強して、肩部に張りおよび保形性を持たせるものであり、表地７と接着芯８とから構成され、略台形状（または略三角形状）をしており、短辺側が衿ぐりに取付けられ、長辺側が袖ぐりに取付けられるものである。
【００４０】
図４に示した実施例では、肩補強布６は１枚の表地７と１枚の接着芯８からなる、図４に図示したものは右身頃用の肩補強布６であり、左身頃用の肩補強布は左右が反転した形状となる。
【００４１】
図４（ａ）に示すように、表地７は上衣における衿ぐりの縫い代を含んだ輪郭線から袖ぐりの縫い代を含んだ輪郭線までの長さがあり、衿ぐり側の幅が狭く、袖ぐり側の幅が広くなっている。接着芯８は表地７とはほぼ同じ形状であるが、縫い代分を控えた長さとなっており、すなわち、衿ぐり上り線から袖ぐりの上り線までの長さであり、幅は表地７からはみ出ないように表地７の幅と同じかそれよりもやや狭くすることが好ましい。図４（ｂ）には、表地７の裏面に接着芯８を縫い代分控えた状態で接着したものを示す。
【００４２】
図４（ｂ）に示した肩補強布６の端縁は裁断しただけの状態であるので、上衣の裏側から肩補強布６が直接見えない方が好ましい。このため、裏付き（半裏または全裏）などの上衣に取付けて、上衣の裏地や見返しなどで肩補強布６が隠れるようにすることが好ましい。
【００４３】
図５は肩補強布６の別の実施例であり、この実施例の肩補強布６は１枚の表地７と２枚の接着芯８（８１、８２）からなる、図５に図示したものは右身頃用の肩補強布６であり、左身頃用の肩補強布は左右が反転した形状となる。
【００４４】
図５（ａ）には肩補強布６の表地７の表面側を示しており、この表地７の裏面に図５（ｂ）に示すように、表地７の形状から縫い代分を除いて一回り小さくした形状の上り接着芯８１を接着する。図５（ｃ）には表地７と同じ大きさ形状の接着芯８２が接着面を上にして示されている。そして、この接着芯８２を接着面を外側にして、裏面に上り接着芯８１が接着されている表地７の表面の上に重ね（すなわち中表に重ね）、衿ぐり側の端縁（短辺）を除いて、残りの３辺をミシンで縫着する。なお、縫着した３辺の縫い代が広い場合は、縫い代を０．５ｃｍくらいになるようにカットすることが好ましい。次に、縫い合わせた表地７と接着芯８１は裏側（すなわち、表地７の裏面側と接着芯８１の接着面側）が外側になった状態で袋状になっているので、これを開いている衿ぐり側の端縁（短辺）から裏表をひっくり返して、表側が外側になるようにする。そして、アイロンを掛けて、接着芯８２を上り芯８１に接着する。このようにして作られた肩補強布６を図５（ｄ）に示しており、この図において一点鎖線で衿ぐり側の上り線を示している。
【００４５】
この実施例の肩補強布６は衿ぐり側以外の端縁が綺麗に仕上げられているので、裏付きの上衣でも、裏なしの上衣にも適用することができる。裏なしの上衣に取付ける場合は、身頃の生地に接着芯８２側が接し、表地７側が外部（上衣の裏側）から見えるように取付けるとよく、また、身頃の生地は接着芯８２が透けて見えない程度の厚みがあることが好ましい。表地７としては身頃の生地と共布とすると、身頃の裁断時に一緒に裁断できるので好ましい。
【００４６】
図６は肩補強布６の更に別の実施例の肩補強布６を製作する手順を説明するための平面図であり、この実施例では１枚の表地と１枚以上の接着芯からなる肩補強布が２つ重ねられ、この２つの肩補強布が衿ぐり側の縁を除く周縁が縫合されて１つの重ね合わせた肩補強布を構成する。なお、図６に図示したものは右身頃用のものであり、左身頃用の肩補強布は左右が反転した形状となる。
【００４７】
図６（ａ）は一方の肩補強布用の表地７１の裏面側を示し、図６（ｂ）はこの表地７１と同形状の接着芯８１で、接着面でない方の面が示されている。図６（ａ）に示した状態の表地７１の上に図６（ｂ）に示した状態の接着芯８１を置いて重ね合せ、アイロンを掛けて両者７１、８１を接着した肩補強布６１が図６（ｃ）に示されている。
【００４８】
図６（ｄ）は他方の肩補強布用の表地７２の裏面側を示し、図６（ｅ）は上り接着芯（すなわち、縫い代部分がなく、仕上がり寸法の大きさおよび形状の芯）８２の接着面でない方の面が示されている。図６（ｄ）に示した状態の表地７２の上に図６（ｅ）に示した状態の上り接着芯８２を重ね合てアイロンを掛けて両者７２、８２を接着した肩補強布６２が図６（ｆ）に示されている。
【００４９】
肩補強布６１の表地７１の表面と肩補強布６２の表地７２の表面が接するように合せる（すなわち、中表に重ねる）。このように重ねると、接着芯８１の接着面でない面と接着芯８２の接着面でない面が外側になる。そして、重ね合せた肩補強布６１、６２の衿ぐり側の端縁（短辺）を除いて、残りの３辺をミシンで縫着する。次に、縫い合わせた肩補強布６１と６２は接着芯８１、８２が外側になった状態で袋状になっているので、開いている衿ぐり側の端縁（短辺）から裏表をひっくり返して、肩補強布６１の表地７１の表面および肩補強布６２の表地７２の表面が外側になるようにする。そして、アイロンを掛けて形状を整える。なお、仕上がった肩補強布６においては外側の両面は表地であり、内部の接着芯８１と接着芯８２の間は接着されずに離れた状態である。
【００５０】
この実施例の肩補強布６は衿ぐり側以外の端縁が綺麗に仕上げられているので、裏付きの上衣でも、裏なしの上衣にも適用することができる。また、この実施例の肩補強布６は外側の両面が表地であるので、身頃の生地が薄くて透けるようなものにも適用できる。表地７１、７２としては身頃の生地と共布とすると、身頃の裁断時に一緒に裁断できるので好ましい。
【００５１】
図７は本発明の上衣の一実施例の肩部を裏側から見た平面図であり、この上衣の衿ぐりの形状はテーラードカラーである。前身頃１と後身頃２との肩縫い代に図１に示した肩線補強芯３（二点鎖線で示した）が取付けられている。肩線補強芯３の上に、図４に示した肩補強布６が肩縫い代を覆って衿ぐり４と袖ぐり５とに取付けられる。肩補強布６の取付けに際して、衿ぐり側は身頃の衿ぐりに挟み込んでミシン縫いで縫着し、袖ぐり側は身頃肩先に馴染ませて、手止めまたはミシン止めすればよい。この実施例の上衣は裏付きであることが好ましい。
【００５２】
図８はヘチマカラーの上衣の裏側に肩線補強芯３と肩補強布６とを適用したものを示している。この上衣は裏なしであるので、肩線補強芯３（二点鎖線で示した）は図２または図３に基いて説明したように、肩線補強芯３が隠れるように肩縫い代に取付けることが好ましい。
【００５３】
図８の衿９はヘチマカラーで符号９１はラペル返り線であり、符号９２は衿の見返しであり、符号４１は衿ぐり縫目を示している。
【００５４】
肩補強布６は図５または図６に基いて説明したものの何れを適用してもよく、上衣のデザインや身頃の生地の厚さ等を考慮して選択する。肩補強布６は肩縫い代を覆って衿ぐり４と袖ぐり５とに取付けられる。図示したヘチマカラーの場合肩補強布６の取付けに際して、衿ぐり側は後身頃２側では衿ぐり縫い代と衿の縫い代の間に挟み込み、前身頃１側では前身頃１と見返し９２の間に挟み込んで、衿ぐり縫目４１で縫着し、袖ぐり側は身頃肩先に馴染ませて、手止めまたはミシン止めすればよい。また、見返し９２の端に手止めまたはミシン止め９３することが好ましい。
【００５５】
図９はシャツカラーの上衣の裏側に肩線補強芯３（二点鎖線で示した）と肩補強布６とを適用したものを示している。この上衣は裏なしであるので、肩線補強芯３は図２または図３に基いて説明したように、肩線補強芯３が隠れるように肩縫い代に取付けることが好ましい。
【００５６】
シャツカラー９は表衿と裏衿とからなり、ヘチマカラーのような見返しはない。肩補強布６の取付けに際して、衿ぐり側は裏衿の縫い代、身頃の衿ぐり縫い代および肩補強布６衿ぐり側縫い代を重ねて縫着し、そして表衿を重ねて衿付けする。肩補強布６は表衿と裏衿の間に挟まれた状態となる。
【符号の説明】
【００５７】
１  前身頃
１ａ  前身頃の肩縫い代
２  後身頃
２ａ  後身頃の肩縫い代
３  肩線補強芯
４  衿ぐり
５  袖ぐり
６  肩補強布
【図１】
2015089985.tif 000003
【図２】
2015089985.tif 000004
【図３】
2015089985.tif 000005
【図４】
2015089985.tif 000006
【図５】
2015089985.tif 000007
【図６】
2015089985.tif 000008
【図７】
2015089985.tif 000009
【図８】
2015089985.tif 000010
【図９】
2015089985.tif 000011